(57)【要約】【課題】本発明は、信号テスト装置を提供する。【解決手段】プローブ本体と、プローブ本体の一端に設置されるプローブカラムと、プローブカラムに接続されてテスト対象の信号端に接触するプローブピンと、プローブ本体に接続されてテスト対象の接地端に接触する接地端子と、プローブ本体の他端に設置されてオシロスコープに接続されるケーブルと、を備え、プローブピンの一端はプローブカラムの内部に移動可能に設置され、プローブカラムの内部にはオシロスコープの波形捕捉ボタンに電気的に接続される第一スイッチ及び第一連動ロッドを介してプローブピンに接続される推進シートが設置され、プローブピンは押圧力を受けるとプローブカラムの内部に向かって移動し、連動ロッド及び推進シートはプローブピンにしたがって第一スイッチに向かって移動して第一スイッチを推進することにより、オシロスコープの波形捕捉ボタンを触発してテスト信号の波形を捕捉する。【選択図】図１
2014134538.tif 000002
【特許請求の範囲】
【請求項１】
プローブ本体と、前記プローブ本体の一端に設置されるプローブカラムと、前記プローブカラムに接続されてテスト対象の信号端に接触するプローブピンと、前記プローブ本体に接続されてテスト対象の接地端に接触する接地端子と、前記プローブ本体の一端に対して反対側に位置する他端に設置されてオシロスコープに接続されるケーブルと、を備え、前記プローブカラムは中空ケースであり、前記プローブピンの一端は前記プローブカラムの内部に移動可能に設置され、前記プローブカラムの内部には前記オシロスコープの波形捕捉ボタンに電気的に接続される第一スイッチ及び第一連動ロッドを介して前記プローブピンに接続される推進シートが設置され、前記プローブピンは押圧力を受けると前記プローブカラムの内部に向かって移動し、前記連動ロッド及び前記推進シートは前記プローブピンにしたがって前記第一スイッチに向かって移動して前記第一スイッチを推進することにより、前記オシロスコープの波形捕捉ボタンを触発してテスト信号の波形を捕捉することを特徴とする信号テスト装置。
【請求項２】
前記プローブカラムは内側壁及び下表面を備え、前記プローブピンは円錐台状であり且つテスト対象の信号端に接触する頂部及び該頂部の反対側に位置した底部を備え、前記プローブカラムの下表面には前記プローブピンを収容するための円孔が設けられ、前記円孔の直径は前記プローブピンの頂部の直径より大きいが前記プローブピンの底部の直径より小さく、前記プローブカラムの内部に収容される前記プローブピンの一端は前記プローブピンの底部であることを特徴とする請求項１に記載の信号テスト装置。
【請求項３】
前記プローブピンには当止環が設置され、前記プローブピンの底部と前記当止環との間にスプリングが前記プローブピンを囲むように設置されることを特徴とする請求項２に記載の信号テスト装置。
【請求項４】
前記推進シートは前記プローブカラムの内側壁に当接し、前記プローブピンが前記プローブカラムの内部に向かって移動する場合、前記推進シートは前記プローブカラムの内側壁に沿って前記第一スイッチに向かって移動して前記第一スイッチに接触することを特徴とする請求項３に記載の信号テスト装置。
【請求項５】
前記プローブ本体の、前記プローブカラム側の一端に対して反対側に位置する他端は接続部に接続され、前記接続部の内部には回路基板が設置され、前記プローブピン、前記ケーブル及び前記接地端子は全て前記回路基板に電気的に接続され、前記第一スイッチは導線によって前記回路基板に電気的に接続され且つ前記ケーブルによって前記オシロスコープに接続されることを特徴とする請求項１〜４のいずれの一項に記載の信号テスト装置。
【発明の詳細な説明】
【技術分野】
【０００１】
本発明は、テスト装置に関するものであり、特にオシロスコープと協力して使用される信号テスト装置に関するものである。
【背景技術】
【０００２】
オシロスコープは、電気信号の波形を表示するための計測器である。オシロスコープによって信号をテストする場合、オシロスコープの波形捕捉ボタンであるＲｕｎ/Ｓｔｏｐボタンを押して、テスト信号の波形取込を開始する又は波形取込を停止する。
【発明の概要】
【発明が解決しようとする課題】
【０００３】
しかし、オシロスコープによって複数のテストチャンネルに対してテストする場合、一人のテスト人員の両手はオシロスコープの複数のプローブを取って複数のテスト信号端にそれぞれに接触するので、オシロスコープの波形捕捉ボタンであるＲｕｎ/Ｓｔｏｐボタンを押すことができなく、他の人力を増加してオシロスコープのＲｕｎ/Ｓｔｏｐボタンを押すことを必要とするので、人力を浪費するばかりではなく、テスト効率も低下する。
【０００４】
本発明の目的は、前記課題を解決し、テスト効率を高めることができる信号テスト装置を提供することである。
【課題を解決するための手段】
【０００５】
本発明に係る信号テスト装置は、プローブ本体と、プローブ本体の一端に設置されるプローブカラムと、プローブカラムに接続されてテスト対象の信号端に接触するプローブピンと、プローブ本体に接続されてテスト対象の接地端に接触する接地端子と、プローブ本体の一端に対して反対側に位置する他端に設置されてオシロスコープに接続されるケーブルと、を備え、プローブカラムは中空ケースであり、プローブピンの一端はプローブカラムの内部に移動可能に設置され、プローブカラムの内部にはオシロスコープの波形捕捉ボタンに電気的に接続される第一スイッチ及び第一連動ロッドを介してプローブピンに接続される推進シートが設置され、プローブピンは圧力を受けるとプローブカラムの内部に向かって移動し、連動ロッド及び推進シートはプローブピンにしたがって第一スイッチに向かって移動して第一スイッチを推進することにより、オシロスコープの波形捕捉ボタンを触発してテスト信号の波形を捕捉する。
【発明の効果】
【０００６】
本発明の信号テスト装置は、伸縮可能なプローブピンと、内部に第一スイッチ及び推進シートを設置したプローブカラムと、を備え、プローブピンはプローブカラムの内部に向かって移動することができる。プローブピンがテスト対象の信号端を押圧する時、プローブピンはプローブカラムの内部に向かって移動し、推進シートはプローブピンに連動されて第一スイッチに向かって移動して第一スイッチに接触する。第一スイッチはオシロスコープの波形捕捉ボタンに電気的に接続されて、オシロスコープに表示されるテスト信号の波形を捕捉することができる。本発明の信号テスト装置は、人力コストを節約するだけではなく、テスト効率を高める。
【図面の簡単な説明】
【０００７】
【図１】本発明の実施形態に係る信号テスト装置の構造を示す図である。
【図２】本発明の実施形態に係る信号テスト装置のプローブピン、プローブカラム、推進シート及び第一スイッチを示す図である。
【発明を実施するための形態】
【０００８】
以下、図面を参照して、本発明の実施形態について説明する。
【０００９】
図１を参照すると、本発明の実施形態に係る信号テスト装置１０は、電子機器の信号をテストするためにオシロスコープとともに使用される。信号テスト装置１０は、プローブ本体１１と、プローブ本体１１の一端から延在して形成されるプローブカラム１２と、プローブカラム１２に接続されてテスト対象の信号端に接触するプローブピン１３と、接地端子１４と、プローブ本体１１の一端に対して反対側に位置する他端から延在して形成され且つオシロスコープに接続されるケーブル１５と、を備える。
【００１０】
プローブ本体１１の、プローブカラム１２側の一端に対して反対側に位置する他端は接続部１１０に接続され、接続部１１０にはプローブピン１３、接地端子１４及びケーブル１５に電気的に接続される回路基板が設置され、プローブピン１３及び接地端子１４は回路基板によってケーブル１５に接続される。
【００１１】
図２を参照すると、プローブカラム１２は、絶縁された中空円柱ケースを備え、ケースの下表面１２１には円孔（図示せず）が設けられる。プローブピン１３は円錐台状であり、テスト対象の信号端に接触する頂部１３０及び頂部１３０の反対側に位置した底部１３１を備える。プローブカラム１２の円孔の直径はプローブピン１３の頂部１３０の直径より大きくプローブピン１３の底部１３１の直径より小さいので、プローブピン１３をプローブカラム１２の内部に取り付ける場合、プローブピン１３はプローブカラム１２の円孔から脱落しない。プローブピン１３の頂部１３０に近い箇所には当止環１３２がプローブピン１３を囲むように設置され、プローブピン１３の底部１３３と当止環１３２との間にはスプリング１３３がプローブピン１３を囲むように設置されて、プローブピン１３を押圧すると、プローブピン１３はプローブカラム１２の内部に向かって移動し、プローブピン１３に対する圧力を解放すると、プローブピン１３は自動的に原点復帰する。
【００１２】
プローブカラム１２の中空円柱ケースの内部には第一スイッチ１２３及び推進シート１２４が固定され、推進シート１２４は第一スイッチ１２３の下方に位置し且つ第一スイッチ１２３と所定距離に離間される。本実施形態において、第一スイッチ１２３はプローブカラム１２の内側壁１２０に当接するか又は係合する。推進シート１２４の一端はプローブカラム１２の内側壁１２０に当接し、推進シート１２４の他端は連動ロッド１２５を介してプローブピン１３に接続されて、プローブピン１３が移動する場合、連動ロッド１２５は推進シート１２４を連動して移動する。
【００１３】
第一スイッチ１２３は、第一導線によって接続部１１０内の回路基板に電気的に接続され、且つケーブル１５によってオシロスコープの波形捕捉ボタンに接続される。
【００１４】
外部圧力を負荷してプローブピン１３を押すと、プローブピン１３はプローブカラム１２の中心軸に沿ってプローブカラム１２の内部に向かって移動し、推進シート１２４は連動ロッド１２５に連動されて第一スイッチ１２３に接触するまでプローブカラム１２の内側壁１２０に沿って第一スイッチ１２３に向かってスライドする。換言するとプローブピン１３は外力作用によって推進シート１２４を介して第一スイッチ１２３を推進することができる。
【００１５】
テストする場合、接地端子１４をテスト対象の接地信号端に接続し、プローブピン１３をテスト対象の信号端に接触させて、オシロスコープにはテスト対象の信号の動態連続波形を表示する。テスト人員がある時刻の波形を捕捉しようとする場合、テスト対象の信号端に向かってプローブカラム１２を推進すると、プローブピン１３及び圧縮されたスプリング１３３はプローブカラム１２の内部に向かって移動し、推進シート１２４は連動ロッド１２５に連動されて第一スイッチ１２３を推進するので、オシロスコープの波形捕捉ボタンを触発して波形を捕捉することができ、テスト人員がプローブカラム１２を解放すると、プローブピン１３はリセットし、推進シート１２４は第一スイッチ１２３から離れて、即ち第一スイッチ１２３もリセットして、続いてテスト対象の信号の動態連続波形をテストすることができる。
【符号の説明】
【００１６】
１０  信号テスト装置
１１  プローブ本体
１２  プローブカラム
１３  プローブピン
１４  接地端子
１５  ケーブル
１１０  接続部
１２０  内側壁
１２１  下表面
１２３  第一スイッチ
１２４  推進シート
１２５  連動ロッド
１３０  頂部
１３１  底部
１３２  当止環
１３３  スプリング
【図１】
2014134538.tif 000003
【図２】
2014134538.tif 000004